(57)【特許請求の範囲】
【請求項１】
本体（１）を備えたスクリーニング端子用の支持スタンドであって、
前記本体（１）が、バスバー（６）用の収容装置（２）と、前記バスバー（６）を前記収容装置（２）内に固定するための固定装置（３）とを備え、
前記本体（１）は、前記バスバー（６）が前記収容装置（２）内に前記固定装置（３）によって固定されたときに、取り付けレール（４）の長手方向の伸長が前記バスバー（６）に対する長手方向の伸長と平行であるように取り付けレール（４）上に係止することができ、
前記収容装置（２）は、前記バスバー（６）を長手方向軸のまわりに回転された３つの選択可能な角度位置で前記収容装置（２）内に収容することができ、また前記バスバー（６）が前記収容装置（２）内に収容されたときに、前記バスバー（６）が前記角度位置で前記収容装置（２）に少なくとも部分的に当たるように設計され、
前記固定装置（３）が、前記バスバー（６）を前記３つの角度位置で固定することができるように設計された支持スタンド。
【請求項２】
本体（１）を備えたスクリーニング端子用の支持スタンドであって、
前記本体（１）が、バスバー（６）用の収容装置（２）と、前記バスバー（６）を前記収容装置（２）内に固定するための固定装置（３）とを備え、
前記本体（１）は、前記バスバー（６）が前記収容装置（２）内に前記固定装置（３）によって固定されたときに、取り付けレール（４）の長手方向の伸長が前記バスバー（６）に対する長手方向の伸長と平行であるように取り付けレール（４）上に係止することができ、
前記収容装置（２）は、前記バスバー（６）を長手方向軸のまわりに回転された任意の角度位置で前記収容装置（２）内に収容することができ、また前記バスバー（６）が前記収容装置（２）内に収容されたときに、前記バスバー（６）が前記角度位置で前記収容装置（２）に少なくとも部分的に当たるように設計され、
前記固定装置（３）が、前記バスバー（６）を前記角度位置で固定することができるように設計され、
前記収容装置（２）と前記固定装置（３）は、前記本体（１）が前記取り付けレール（４）に係止され、前記バスバー（６）が前記収容装置（２）内に固定されたときに、前記バスバー（６）と前記取り付けレール（４）のそれぞれの横断方向の伸長が互いに、第１の角度位置で０°、第２の角度位置で４５°、及び第３の角度位置で９０°の角度をなすように設計された、
支持スタンド。
【請求項３】
前記本体（１）が、第２のバスバー（６）用の第２の収容装置（２）と、前記第２のバスバー（６）を前記第２の収容装置（２）内に固定するための第２の固定装置（３）とを備え、前記本体（１）が前記取り付けレール（４）に係止されたときに、前記収容装置（２）と前記第２の収容装置（２）との間に前記本体（１）が配置されるように、前記収容装置（２）が前記第２の収容装置（２）と反対側に配置された、請求項１または２に記載の支持スタンド。
【請求項４】
前記本体（１）が、単一の収容装置（２）及びそれに対応する単一の固定装置（３）を備える、請求項１または２に記載の支持スタンド。
【請求項５】
金属インサート（９）を備え、前記金属インサート（９）は、前記バスバー（６）が前記収容装置（２）に収容されたときに、前記バスバー（６）が前記金属インサート（９）に前記角度位置で少なくとも部分的に当たるように設計された、請求項１〜４のいずれか一項に記載の支持スタンド。
【請求項６】
各角度位置の前記収容装置（２）及び／又は前記金属インサート（９）が、前記バスバー（６）を係止するための２つの戻り止め手段（８）を有する、請求項５に記載の支持スタンド。
【請求項７】
前記本体（１）が、前記取り付けレール（６）に係止されたときに、前記本体（１）上の前記収容装置（２）と前記固定装置（３）が、前記取り付けレール（４）から前記取り付けレール（４）の横断方向に離される、請求項１〜６のいずれか一項に記載の支持スタンド。
【請求項８】
前記固定装置（３）が、手動操作可能なクリップ閉鎖機構として設計された、請求項１〜７のいずれか一項に記載の支持スタンド。
【請求項９】
前記本体（１）は、前記本体（１）が前記取り付けレール（４）に係止され、前記バスバー（６）が前記収容装置（２）に収容されたときに、前記取り付けレール（４）と前記バスバー（６）との間に電気接続が作成されるように設計された、請求項１〜８のいずれか一項に記載の支持スタンド。
【発明の詳細な説明】
【技術分野】
【０００１】
本発明は、本体を有するスクリーニング端子用の支持スタンドに関し、この本体は、バスバー用の収容装置と、バスバーを収容装置内に固定するための固定装置とを備える。
【背景技術】
【０００２】
支持スタンドは、先行技術からバスバー用の保持装置としても知られ、例えばスイッチキャビネット内の取り付けレールにスクリーニング端子を取り付けるために使用され、それにより、支持スタンド上に提供されたバスバーにケーブルをスクリーニング端子によって固定することができ、スクリーニング端子によって張りが緩和されたケーブルを、取り付けレール上に係止された接続部及び／又は接続端子に装着することもでき、接続部及び／又は接続端子に接続することもできる。張りの緩和に加え、ケーブルのケーブルシールドが、導電性スクリーニング端子、バスバー及び支持スタンドを介して取り付けレールに導電接続されるので、導電性支持スタンドによってケーブルのＥＭＣ対応配線を実現することもでき、その結果、取り付けレールが接地されている場合は、ケーブルシールドの接地も行われる。
【０００３】
先行技術で既知の支持スタンドは、特定のタイプ又はサイズの接続部及び／又は接続端子とだけ使用されるように設計されているか、又はスクリーニング端子の取付け用に提供されたバスバーを取り付けレールから可変の距離及び高さに固定できるように、様々なサイズの接続部及び／又は接続端子に対して高さが調整できるように設計されている。しかしながら、後者の構造は、機構が複雑でありかつ／又はより多くのスペース（特にスイッチキャビネットの場合には一般にわずかしか使用できない）を必要とするので、あまり安定しない場合が多い。
【発明の概要】
【課題を解決するための手段】
【０００４】
したがって、本発明の目的は、スクリーニング端子用の支持スタンドを提供することであり、この支持スタンドは、広範囲のサイズの接続部及び／又は接続端子のために極めて限られたスペース内でも広く一般的に使用することができ、また支持スタンドを介してスクリーニング端子を取り付けレールに安定的に固定することを可能にする。
【０００５】
この目的は、本発明により、独立クレームの特徴によって達成される。本発明の有利な実施形態は、従属クレームに開示される。
【０００６】
本発明によれば、この目的は、スクリーニング端子用の支持スタンドによって達成され、支持スタンドは、本体を有し、本体は、バスバー用の収容装置と、バスバーを収容装置内に固定するための固定装置とを有し、本体は、バスバーが収容装置内に固定装置によって固定されたときに、取り付けレールの長手方向の伸長（longitudinal extension）がバスバーの長手方向の伸長と平行になるように取り付けレール上に係止することができ、収容装置は、バスバーをその長手方向軸のまわりに回転された任意の角度位置で収容装置内に収容でき、かつバスバーが収容装置内に収容されたときに、バスバーが角度位置で収容装置に少なくとも部分的に当たるように設計され、固定装置は、バスバーを角度位置で固定できるように設計される。
【０００７】
本発明によれば、先行技術と対照的に、バスバーをその長手方向軸のまわりに回転させた任意の角度位置で本体上に固定することができ、その結果、先行技術で既知のスクリーニング端子によって、ケーブルを、バスバーの傾きによって事前定義された角度位置で、取り付けレール上に提供された接続部及び／又は接続端子まで案内するか、接続部及び／又は接続端子に接続することができる。したがって、本発明による支持スタンドは、きわめて限られたスペース内でも、様々な高さ及びサイズの多種多様な接続部及び／又は接続端子に特に一般的に使用することができる。換言すると、先行技術と対照的に、バスバーが、本体に単一位置にだけ固定された場合、即ち、バスバーと取り付けレールとが、それらの横断方向の伸長（transverse extension）において互いに一定角度を有する場合、本発明による支持スタンドは、バスバーに締結されたケーブルを、取り付けレールに対するバスバーの様々な角度位置で、また接続部及び／又は接続端子の「高さ」に対して、融通のきく方式で進めることを可能にする。
【０００８】
支持スタンドの本体は、任意に設計することができ、例えばプラスチック及び／又は金属から形成されてもよい。同様に、収容装置と固定装置は、バスバーをそれぞれ収容し固定するための先行技術で既知の任意の手段として構成されてもよい。また、同じことは、好ましくはスイッチキャビネット内で使用するための先行技術で既知の任意のバー又はレールとしてそれぞれ構成することができるバスバーと取り付けレールにも当てはまる。
【０００９】
収容装置は、好ましくは、バスバーが収容装置に少なくとも部分的に当たる領域で収容装置が例えば湾曲、円形又は楕円断面形状を有するように形成され、その結果、バスバーは、収容装置の湾曲面の接点で収容装置に好ましくは直接当たる。収容装置は、また、一部分で真っ直ぐに延在する断面形状を有してもよく、断面形状は、２つの直線的伸長の間で、それぞれの場合に１０°や３０°などの角度で曲がり、その結果、取付けレールに対して様々な角度位置を有する様々な直線的伸長が形成される。
【００１０】
いずれにしても、本発明によれば、収容装置は、バスバーを収容装置上に少なくとも部分的に適合することができる領域内で、バスバーが、収容装置上に、その横断方向の伸長に対して装着されたときに、取り付けレールの横断方向の伸長に任意の角度を有することができ、また固定装置によって特定の角度で保持装置に固定することができるように設計される。
【００１１】
更に好ましい実施形態によれば、本体は、第２のバスバー用の第２の収容装置と、第２の収容装置内に第２のバスバーを固定するための第２の固定装置とを有し、収容装置は、本体が取り付けレールに係止されたときに、本体が収容装置と第２の収容装置との間に配置されるように、第２の収容装置と反対側に配置される。したがって、この実施形態によれば、支持スタンドは、「一対支持スタンド」として設計され、したがって、ケーブルを接続部及び／又は接続端子の方に進めてどちらの側からも固定することを可能にする。この実施形態と関連して、以下に述べる全ての実施形態が、明示的に言及されない場合でも、このタイプの「一対支持スタンド」として同様に設計され得ることに注意されたい。
【００１２】
本発明の別の好ましい実施形態によれば、本体は、単一の収容装置及びそれに対応する単一の固定装置とを有する。したがって、この好ましい実施形態では、先行技術と対照的に、支持スタンドは、単一の収容装置と単一の固定装置だけが提供されるように設計され、バスバーは、この単一の収容装置内に収容され、この単一の固定装置によって、その長手方向軸のまわりに回転された任意の角度位置で固定され得る。したがって、本発明による支持スタンドは、特に広範囲のサイズと高さの多種多様な異なる接続部及び／又は接続端子と共に広く一般的に使用することができる。
【００１３】
基本的には、既に述べたように、本体は、任意に設計することができる。しかしながら、本発明の特に好ましい例示的な実施形態によれば、本体は、金属インサートを有し、金属インサートは、バスバーが収容装置内に収容されたときに、バスバーが角度位置で金属インサートに少なくとも部分的に当たるように設計される。インサートが金属から形成されるので、バスバーを金属インサートにほぼ「非回転式」に取り付けることができ、その理由は、金属が、例えばプラスチックから形成された本体より耐ねじり性が高いからである。
【００１４】
本発明の特に好ましい例示的な実施形態によれば、収容装置と固定装置は、バスバーをその長手方向軸のまわりに回転された３つの選択可能な角度位置で収容装置内に収容することができ、またバスバーを３つの角度位置で固定できるように設計される。したがって、バスバーは、支持スタンド内に、したがって取り付けレールに対して３つの専用角度位置で固定することができる。例えば、このタイプの一実施形態では、収容装置は、バスバーを収容装置に少なくとも部分的に適合することができる領域が輪郭を有し、かかる輪郭において、３つのほぼ直線の「エッジ」が提供され、輪郭の「屈折」によって中断されるように設計されてもよい。この点において、収容装置と固定装置は、本体が取り付けレールに係止され、バスバーが収容装置内に固定されたとき、バスバーと取り付けレールのそれぞれの横断方向の伸長が互いに、第１の角度位置で０°、第２の角度位置で４５°、第３の角度位置で９０°の角度をなすように設計されることが最も望ましい。そのような実施形態の結果、例えば、異なるサイズの少なくとも３つの接続端子に関して、バスバーを収容装置内に所望の角度位置で適合し、バスバーを所望の角度位置で固定することによって、ケーブルを接続端子の方に特に単純に前進させることを可能にする支持スタンドを作成することができる。
【００１５】
本発明の更に好ましい実施形態によれば、各角度位置の収容装置及び／又は金属インサートは、バスバーを係止するための２つの戻り止め手段を有する。２つの戻り止め手段は、好ましくは、戻り止め手段の間にバスバーを係止することができるように配置される。戻り止め手段は、最も好ましくは、金属インサート上の蒸着縁及び／又は金属クランプとして設計される。一実施形態の結果として、バスバーの収容装置への最初の固定は、単にバスバーを収容装置に挿入によって達成することができ、次に第２のステップでバスバーを固定装置によって最終的に固定することができる。
【００１６】
基本的には、収容装置と固定装置は、本体上に任意に配置されてもよい。しかしながら、特に好ましい実施形態によれば、本体が、取り付けレールに係止されたとき、本体上の収容装置と固定装置は、取り付けレールの横断方向の伸長において取り付けレールから離される。同様に、本体が、取り付けレールに係止されたとき、本体上の収容装置と固定装置は、取り付けレールの横断方向の伸長に対して垂直に取り付けレールから離されることが好ましい。
【００１７】
固定装置は、基本的に先行技術で既知の任意の固定装置として設計することができ、手動操作可能なクリップ閉鎖機構として設計されることが更に好ましい。ここで、クリップ閉鎖機構は、その側面の一つで収容装置に締結されてもよく（例えば、旋回可能に締結される）、またバスバーを収容装置内に固定するために、戻り止め手段を介して固定装置が収容装置と係止してバスバーを収容装置内に固定するようにバスバーの方に旋回されてもよい。正確には、クリップ閉鎖機構が手動操作可能なので、バスバーは、特殊なツールを使用せずに収容装置に特に単純に固定することができる。
【００１８】
本発明の更に好ましい実施形態によれば、本体は、本体が取り付けレールに係止され、バスバーが収容装置内に収容されたときに、取り付けレールとバスバーとの間に電気接続が作成されるように設計される。したがって、取り付けレールが接地されると仮定すると、バスバーに締結されたケーブルのケーブルシールドを、特に単純な方式で接地することができ、その結果、ＥＭＣ対応配線を特に単純な方式で作成することができる。代替実施形態では、本体が、金属インサートを有するが、取り付けレールとバスバーとの間に電気接続が存在しないことが好ましい。
【００１９】
本発明は、以下で、好ましい実施形態に基づき添付図面を参照してより詳しく説明される。
【図面の簡単な説明】
【００２０】
【図１】本発明による「一対支持スタンド」の本発明の好ましい実施形態による分解図である。
【図２】第１の角度位置にバスバーを有する本発明による支持スタンドの斜視部分図である。
【図３】第２の角度位置にバスバーを有する本発明による支持スタンドの斜視図である。
【図４】第３の角度位置にバスバーを有する本発明による支持スタンドの斜視図である。
【図５】バスバーが挿入されていない本発明による収容装置と固定装置の概略平面図である。
【発明を実施するための形態】
【００２１】
本発明による「一対支持スタンド」を図１に分解図で見ることができる。支持スタンドは、本体１、収容装置２及び固定装置３を有し、これらは、この場合、プラスチックから一体で作成される。
【００２２】
固定装置３は、手動操作可能なクリップ閉鎖機構として設計されている。本体１は、矢印４によって示された取り付けレール４に係止することができ、取り付けレール４は、先行技術で既知の電気接続部及び／又は接続端子を受けるための取り付けレール４として設計されている。ここで、前述の接続部及び／又は接続端子は、矢印５によって示されたように、２個の支持スタンド１、２及び３の間に配置されることが好ましく、前述の接続部及び／又は接続端子も取り付けレール４に係止することができる。収容装置２は、バスバー６を収容するように設計されており、バスバー６は、収容装置２に挿入されたとき、バスバー６の長手方向軸のまわりに回転された特定の角度位置で、固定装置３によって収容装置２内に非回転式に固定され得る。
【００２３】
この目的のために、収容装置２は、本発明にしたがって、バスバー６を、長手方向軸のまわりに回転された任意の角度位置で収容装置２内に収容することができ、かつバスバー６が、矢印７によって示されたように、特定の角度位置で収容装置２に少なくとも部分的に当たるように設計される。また、本発明による固定装置３は、固定装置３がバスバー６を収容装置２内に特定の角度位置で固定するように設計される。換言すると、本発明によれば、保持装置２が、例えばバスバー６に面した湾曲又は半円形の輪郭を有するので、１本のバスバー６を、その長手方向軸のまわりに回転された任意の角度位置で単一の収容装置２及びそれに対応する単一固定装置３内に固定することができ、その結果、バスバー６は、半円形の輪郭の接点７に当たるように長手方向軸のまわりの任意の角度位置で支持スタンドに固定され得る。
【００２４】
これは、特に図２〜図４に示されており、バスバー６は、長手方向軸のまわりの３つの異なる角度位置で収容装置２内に収容され、固定装置３によって固定される。この場合、図２〜図４に示された角度位置は、バスバー６の横断方向の伸長と取り付けレール４との間で０°、４５°及び９０°の角度をなす。この目的のため、収容装置２は、矢印７によって示されたように、バスバー６が角度位置のそれぞれで収容装置２に少なくとも部分的に当たることができるように構成される。
【００２５】
また図５から詳しく分かるように、収容装置２は、０°、４５°及び９０°の角度位置ごとに、バスバー６と係止するように設計された２つの戻り止め手段８を有する。図５から分かるように、戻り止め手段８は、この場合、戻り止めラグ、蒸着エッジ及び金属クランプとして形成される。したがって、バスバー５を収容装置２に挿入するだけでバスバー６を収容装置２内に係止することができる。
【００２６】
更に、例えば図１に見ることができる金属インサート９が提供され、金属インサート９は、バスバー６が収容装置２に収容されたときに、バスバー６が特定の角度位置で金属インサート９に少なくとも部分的に当たるように設計される。２つの金属インサート９が提供され、それぞれ本体１の外面に当たり、したがって本体１を取り囲んでもよい。更に、金属インサート９によって、バスバー６と取り付けレール４との間に導電接続を達成することができる。
【符号の説明】
【００２７】
１  本体
２  収容装置
３  固定装置
４  取り付けレール
５  ギャップ
６  バスバー
７  矢印によって記号化された軸受位置
８  戻り止め手段
９  金属インサート
【図１】
0005745157.tif 000002
【図２】
0005745157.tif 000003
【図３】
0005745157.tif 000004
【図４】
0005745157.tif 000005
【図５】
0005745157.tif 000006